(57)【特許請求の範囲】
【請求項１】
車両におけるドリンクホルダーに専用のエアコン送風口を備えるとともに、該ドリンクホルダー専用のエアコン送風口からの送風温度を設定する温度調節スイッチと、送風をＯＮ・ＯＦＦする選択スイッチと、送風量を設定する風量調節スイッチと、が備えられて成り、
該温度調節スイッチによる設定温度に従ってドリンクホルダー専用のエアコン送風口から送風される温風あるいは冷風の送風作用により、ドリンクホルダー内に挿入された飲料の保温・保冷が行われるとともに、該選択スイッチを手動操作することにより、ドリンクホルダー専用のエアコン送風口からの送風のＯＮ・ＯＦＦが行われ、かつ、該風量調節スイッチによる設定風量に従ってドリンクホルダー専用のエアコン送風口からの送風量が決定されることを特徴とする車両用ドリンクホルダーシステム。
【請求項２】
前記車両用ドリンクホルダーシステムにおいて、前記ドリンクホルダー内における飲料の有無を検知する飲料センサが備えられて成り、
該飲料センサにより飲料の有無を検知することで、前記ドリンクホルダー専用のエアコン送風口からの送風のＯＮ・ＯＦＦが自動で行われることを特徴とする請求項１に記載の車両用ドリンクホルダーシステム。
【請求項３】
前記車両用ドリンクホルダーシステムにおいて、前記ドリンクホルダー内の飲料温度を計測する温度センサが備えられて成り、
該温度センサにより飲料温度を計測することで、前記ドリンクホルダー専用のエアコン送風口からの送風量の調節が自動で行われることを特徴とする請求項１または請求項２に記載の車両用ドリンクホルダーシステム。
【発明の詳細な説明】
【技術分野】
【０００１】
本発明は、車両におけるドリンクホルダーに関し、詳しくは、車両に備え付けのドリンクホルダーに送風口を設けた車両用ドリンクホルダーシステムに関するものである。
【背景技術】
【０００２】
車両における空調（エアコン）は、コントロールパネルにおける各種設定に従って、温風・冷風が送風口から送風されることにより行われている。
ところで、特許文献１乃至２に示すように、送風口に後付けでドリンクホルダーを装備させることで、該送風口から送風される温風・冷風を利用して、ドリンクホルダー内にセットされた飲料が加熱あるいは冷却され、車内温度の調整と同時に、飲料の適温化が図れる利点があることが知られている。すなわち、車内の空調を冷房にすることによりドリンクホルダーに設置された飲料も冷やされ、逆に暖房とすることにより飲料が温められる。
【０００３】
しかしながら、車内の空調は、そもそも車内空間のためにあるものであって、飲料を保温・保冷するためのものではなく、しかも、車内希望温度と飲料最適温度とが同じ温度に統一されることは、非常に稀である。送風温度は、車内希望温度に合わせるのが通例であって、したがって、該空調を使って飲料を最適な温度に保温・保冷することは困難であった。
また、送風口にドリンクホルダーを装備させた場合には、ホルダー内の飲料により該送風口が遮られることとなり、空調が元来有する車内温度調整能力を損ねてしまうこととなる。
【０００４】
さらには、寒い時期に暖かい飲料を欲するとは限らず、逆に、暖かい時期に冷たい飲料を欲するとも限らない。すなわち、暖房を使用した状況でホルダー内に温かい飲料があるとは限らず、冷房を使用した状況でホルダー内に冷たい飲料があるとも限らない。このことは、車内希望温度と飲料最適温度とが全く正反対になる恐れがあることを示しており、保冷状態で飲みたい飲料が温められたり、あるいは、保温状態で飲みたい飲料が冷やされてしまうといった弊害が生じてしまうものであった。
【０００５】
一方、ドリンクホルダーを送風口に装備させる上記態様の他に、飲料の適温化を図るため車内に保温装置を設置する態様もある。しかしながら、かかる保温装置を設置する態様によると、該装置自体が大型であって限られた車内空間を占有してしまい、車内居住空間の利便性が失われる点が指摘される。
【０００６】
ところで、特許文献３乃至６において提案されているように、ベルチェ素子を応用してドリンクホルダー内の飲料を保温・保冷する技術も考えられている。
しかしながら、かかるベルチェ素子は、発熱を伴うものであるため、ドリンクホルダーに該ベルチェ素子を使用した場合には、放熱するための構造が必要となり、構造的に複雑になるだけでなく、ドリンクホルダー自体の大型化をも招いてしまうものであった。
【０００７】
【特許文献１】特開２０００−１４２２０４号公報
【特許文献２】特開平１０−２３６１３３号公報
【特許文献３】特開２００２−１４７９１８号公報
【特許文献４】特開２０００−２３４８３６号公報
【特許文献５】特開平１１−５１５３４号公報
【特許文献６】特開平９−６１０３２号公報
【発明の開示】
【発明が解決しようとする課題】
【０００８】
本発明は、上記問題点に鑑みてなされたものであって、車内空調本来の機能を損なうことなく、該空調を利用して飲料の保温・保冷を可能にする車両用ドリンクホルダーシステムを提供することを課題とするものである。
【課題を解決するための手段】
【０００９】
上記課題を解決するため、本発明にかかる車両用ドリンクホルダーシステムは、車両におけるドリンクホルダーに専用のエアコン送風口を備えるとともに、該ドリンクホルダー専用のエアコン送風口からの送風温度を設定する温度調節スイッチが備えられた構成となっている。
かかる構成を採用することで、温度調節スイッチによる設定温度に従ってドリンクホルダー専用のエアコン送風口から送風される温風あるいは冷風の送風作用により、ドリンクホルダー内に挿入された飲料の保温・保冷が行われる。
【００１０】
また、本発明にかかる車両用ドリンクホルダーシステムは、前記ドリンクホルダー専用のエアコン送風口からの送風をＯＮ・ＯＦＦする選択スイッチが備えられた構成を採用し得る。
かかる構成を採用すれば、選択スイッチを手動操作することによって、ドリンクホルダー専用のエアコン送風口からの送風のＯＮ・ＯＦＦが行われる。
【００１１】
さらに、本発明にかかる車両用ドリンクホルダーシステムは、前記ドリンクホルダー内における飲料の有無を検知する飲料センサが備えられた構成を採ることもできる。
かかる構成では、飲料センサにより飲料の有無を検知することで、前記ドリンクホルダー専用のエアコン送風口からの送風のＯＮ・ＯＦＦが自動で行われる。
【００１２】
またさらに、本発明にかかる車両用ドリンクホルダーシステムは、前記ドリンクホルダー専用のエアコン送風口からの送風量を設定する風量調節スイッチが備えられた構成とすることもできる。
かかる構成を採用することで、風量調節スイッチによる設定風量に従ってドリンクホルダー専用のエアコン送風口からの送風量が決定される。
【００１３】
そしてまた、本発明にかかる車両用ドリンクホルダーシステムは、前記ドリンクホルダー内の飲料温度を計測する温度センサが備えられた構成を採用し得る。
かかる構成を採用すると、温度センサにより飲料温度を計測することで、前記ドリンクホルダー専用のエアコン送風口からの送風量の調節が自動で行われる。
【発明の効果】
【００１４】
本発明にかかる車両用ドリンクホルダーシステムによれば、車内空調設備とは別に、ドリンクホルダー内に独立してエアコン送風口を設けることで、車内空調とは別にドリンク専用の空調を確立し、車内空調本来の機能を損なうことなく飲料の保温・保冷が可能になるといった、優れた作用効果を奏する。
【図面の簡単な説明】
【００１５】
【図１】本発明にかかる車両用ドリンクホルダーシステムの実施形態を示す説明図である。
【図２】本発明にかかる車両用ドリンクホルダーシステムにおけるドリンクホルダーの実施形態を示す拡大図である。
【図３】本発明にかかる車両用ドリンクホルダーシステムにおけるコントロールパネルの実施形態を示す説明図である。
【発明を実施するための最良の形態】
【００１６】
本発明にかかる車両用ドリンクホルダーシステムは、車内空調設備とは独立してドリンクホルダー内に専用の送風口を設けてドリンク専用の空調を確立することで、車内空調とは別にドリンクホルダー内に挿入された飲料の保温・保冷が行われることを最大の特徴とする。以下、本発明にかかる車両用ドリンクホルダーシステムの実施形態を、図面に基づいて説明する。
【００１７】
なお、本発明は、下記の実施形態に示した構成に特に限定されるものではなく、本発明の技術的思想の要旨に逸脱しない範囲で任意に変更することができるものである。
【００１８】
図１は、本発明にかかる車両用ドリンクホルダーシステムの実施形態を示す説明図である。また、図２は、本発明にかかる車両用ドリンクホルダーシステムにおけるドリンクホルダーの実施形態を示す拡大図である。さらに、図３は、本発明にかかる車両用ドリンクホルダーシステムにおけるコントロールパネルの実施形態を示す説明図である。
【００１９】
本発明にかかる車両用ドリンクホルダーシステムは、車両１に装備されているドリンクホルダー１０に関するものである。
車両１における該ドリンクホルダー１０の装備箇所については、当初から装備されているものであれば特に限定するものではなく、図１に示すように、例えばセンターコンソールボックス２の上部箇所であったり、あるいは、ドア３側面下方部であったり、さらには、コントロールパネル４などに装備されている。なお、コントロールパネル４に装備される場合などは、必要に応じて出し入れが自在であるいわゆるインダッシュ式のドリンクホルダー１０の場合も考え得る。
【００２０】
かかるドリンクホルダー１０には、図２に示すように、その内部にエアコン送風口５０が備えられている。すなわち、車内空調のための送風口５とは別に、独立してドリンクホルダー１０専用のエアコン送風口５０が備えられる構成となっている。
【００２１】
このとき、該エアコン送風口５０の備えられる位置や大きさについては、ドリンクホルダー１０の内部であれば特に限定はなく、該ドリンクホルダー１０内に挿入された飲料Ｄの保温・保冷効率等を考慮して決定される。なお、インダッシュ式のドリンクホルダー１０の場合のエアコン送風口５０の位置は、必然と該ドリンクホルダー１０が収納されるパネル面（例えばコントロールパネル４）に備えられることとなる。
【００２２】
ドリンクホルダー１０専用のエアコン送風口５０から送風される送風温度を設定すべく、コントロールパネル４には温度調節スイッチ６０が備えられている。すなわち、図３に示すように、車内空調のための温度調節スイッチ６とは別に、独立してドリンクホルダー１０専用の温度調節スイッチ６０が備えられる構成となっている。
【００２３】
以上の通り構成される本発明にかかる車両用ドリンクホルダーシステムによれば、温度調節スイッチ６０による設定温度に従ってドリンクホルダー１０専用のエアコン送風口５０から送風される温風あるいは冷風の送風作用により、ドリンクホルダー１０内に挿入された飲料Ｄの保温・保冷が行われることとなる。
【００２４】
ところで、コントロールパネル４には、前記ドリンクホルダー１０専用のエアコン送風口５０からの送風をＯＮ・ＯＦＦする選択スイッチ７０が備えられている。すなわち、図３に示すように、車内空調のための送風口５を選択する選択スイッチ７とは別に、独立してドリンクホルダー１０専用のエアコン送風口５０を選択する選択スイッチ７０が備えられる構成となっている。
該選択スイッチ７０を手動操作することにより、ドリンクホルダー１０専用のエアコン送風口５０からの送風のＯＮ・ＯＦＦ操作が行われることとなる。
【００２５】
なお、ドリンクホルダー１０内に飲料センサ７２を備えることで、該ドリンクホルダー１０おける飲料Ｄの有無を検知する態様が考え得る。すなわち、該飲料センサ７２により飲料Ｄの有無を検知することで、前記ドリンクホルダー１０専用のエアコン送風口５０からの送風のＯＮ・ＯＦＦを自動操作する態様である。
【００２６】
このとき、コントロールパネル４において、図３に示すように、前記選択スイッチ７０に加えてＡＵＴＯスイッチ７１を備え、該ＡＵＴＯスイッチ７１をＯＮ状態とすることで、送風のＯＮ・ＯＦＦが手動操作から前記飲料センサ７２を介した自動操作に移行する態様を採り得る。
【００２７】
また、コントロールパネル４には、前記ドリンクホルダー１０専用のエアコン送風口５０からの送風量を設定する風量調節スイッチ８０が備えられている。すなわち、図３に示すように、車内空調のための送風量を設定する風量調節スイッチ８とは別に、独立してドリンクホルダー１０専用のエアコン送風口５０の送風量を設定する風量調節スイッチ８０が備えられる構成となっている。
該風量調節スイッチ８０を手動操作することにより、設定された風量に従って、ドリンクホルダー１０専用のエアコン送風口５０からの送風量が決定されることとなる。
【００２８】
なお、ドリンクホルダー１０内に温度センサ８２を備えることで、該ドリンクホルダー１０おける飲料Ｄの温度を計測する態様が考え得る。すなわち、該温度センサ８２により飲料Ｄの温度を計測することで、前記ドリンクホルダー１０専用のエアコン送風口５０からの送風量の調節が自動で決定される態様である。
【００２９】
このとき、コントロールパネル４において、図３に示すように、前記風量調節スイッチ８０のレベル指定箇所にてＡＵＴＯレベル８１の指定が可能とし、前記風量調節スイッチ８０を該ＡＵＴＯレベル８１にレベル指定することで、送風量の調節が手動設定から前記温度センサ８２を介した自動設定に移行する態様を採り得る。
【産業上の利用可能性】
【００３０】
本発明にかかる車両用ドリンクホルダーシステムは、車内空調としての送風口５とは切り離されたドリンクホルダー１０専用のエアコン送風口５０を備えることで、車内の温度調整を目的とする従来の空調システムと干渉し合うことなく、飲料Ｄの独立した保温・保冷を可能にすることから、車内の冷暖房効率の面において何ら影響なく、また、新規で別途装置を必要とするものではないため、従来の車内空間に影響もなく、さらには、季節を問わず車両１を利用する人の利便性に貢献するとともに、従来装備されているドリンクホルダーの利用価値を飛躍的に高めるものであって、本発明の産業上の利用可能性は大である。
【符号の説明】
【００３１】
１    車両
２    センターコンソールボックス
３    ドア
４    コントロールパネル
５    送風口
６    温度調節スイッチ
７    選択スイッチ
８    風量調節スイッチ
１０    ドリンクホルダー
５０    エアコン送風口
６０    温度調節スイッチ
７０    選択スイッチ
７１    ＡＵＴＯスイッチ
７２    飲料センサ
８０    風量調節スイッチ
８１    ＡＵＴＯレベル
８２    温度センサ
Ｄ    飲料
【図１】
0005408510.tif 000002
【図２】
0005408510.tif 000003
【図３】
0005408510.tif 000004